【事件の表示】
　特願２０１９−　８８７４９「端子およびそれを伴う電気コネクタ」拒絶査定不服審判事件〔令和　１年　９月１２日出願公開、特開２０１９−１５３５９３、請求項の数（４）〕について、次のとおり審決する。
【結　論】
　原査定を取り消す。
　本願の発明は、特許すべきものとする。
【理　由】
第１　手続の経緯
　本願は、２０１２年（平成２４年）７月１８日（パリ条約による優先権主張　外国庁受理２０１１年７月１９日、米国）を国際出願日とする出願である特願２０１４−５１９１０４号の一部を、平成２８年５月１９日に新たな特許出願とした特願２０１６−１００４５７号の一部を、平成３０年１０月１日に新たな特許出願とした特願２０１８−１８６６３９号の一部を、令和１年５月９日に新たな特許出願としたものであって、その手続の経緯は以下のとおりである。
令和１年　５月１０日　　：上申書の提出
令和２年　６月１９日付け：拒絶理由通知書（特許法第５０条の２の通知）
令和２年　７月　９日　　：手続補正書及び意見書の提出
令和２年　８月３１日付け：拒絶査定（原査定）
令和２年１０月　２日　　：審判請求書の提出
第２　原査定の概要
　原査定（令和２年８月３１日付け拒絶査定）の概要は次のとおりである。
　本願請求項１に係る発明は、以下の引用文献１及び２に基いて、その発明の属する技術の分野における通常の知識を有する者（以下、「当業者」という。）が容易に発明をすることができたものであるから、特許法第２９条第２項の規定により特許を受けることができない。
　また、本願請求項２ないし４に係る発明は、以下の引用文献１ないし３に基いて、当業者が容易に発明をすることができたものであるから、特許法第２９条第２項の規定により特許を受けることができない。
引用文献等一覧
１．特表２００７−５２４１９４号公報
２．特開２００１−２３００１２号公報
３．特開２００９−１０４８６３号公報
第３　本願発明
　本願請求項１ないし４に係る発明（以下、それぞれ「本願発明１」ないし「本願発明４」という。）は、令和２年７月９日に提出の手続補正書で補正された特許請求の範囲の請求項１ないし４に記載された事項により特定される発明であり、以下のとおりの発明である。
「【請求項１】
　金属薄板材料から形成された雌型端子であって、
　雄型端子を受容する嵌合端部と、電線に接続される回路接続端部と、前記嵌合端部と回路接続端部との間の中間部分とを伴う端子本体と、
　前記嵌合端部に画定される通路であって、該通路に沿って長手方向に延在し、互いに対向する２つの側壁と、前記通路に沿って長手方向に延在し、互いに対向する上壁及び下壁とを含む、通路と、
　前記側壁の各々に沿って配置される主接点であって、基底部分、接点領域、及び、自由端を含み、前記側壁の各々から前方に延在する片持ち梁の形状で、前記基底部分から接点領域までは前記通路の内方に向いて延在し、前記接点領域から自由端までは前記通路の外方に向いて延在する、主接点と、
　前記上壁及び下壁の少なくとも１つに沿って配置されるアーク放電接点であって、前記通路の内方に向いて延在し、前記通路の長手方向に関して、前記主接点の接点領域と自由端との間に位置する、アーク放電接点と、
　前記中間部分に配置される１対のロックアームであって、前記側壁の各々と平行な各側面から外側へ突出するように後方に延在する片持ち梁の形状のロックアームと、
　を備える、雌型端子。
【請求項２】
　前記中間部分に配置される突出部であって、前記ロックアームよりも後方で、下側面から下方に延在する突出部を更に備える、請求項１に記載の雌型端子。
【請求項３】
　前記アーク放電接点を分離して該アーク放電接点の右部分及び左部分を画定する少なくとも１つの長手方向に延在するスリットを更に備える、請求項１又は２に記載の雌型端子。
【請求項４】
　コネクタであって、
　請求項１〜３のいずれか１項に記載の雌型端子と、
　該雌型端子の少なくとも一部分を全体的に取り囲む、絶縁ハウジングと、
　を備える、コネクタ。」
第４　引用文献に記載の事項及び発明
１　引用文献１に記載の事項
　原査定の拒絶の理由に引用された引用文献１には、次の事項が記載されている（下線は当審で付した。以下同様。）。
「【技術分野】
【０００１】
　本発明は、一般に電気コネクタの技術に関し、より詳細には、電気コネクタ用の雌型端子又はソケット端子に関する。」
「【背景技術】
【０００２】
　嵌（かん）合式電気コネクタは、一般に、嵌合されたコネクタによって複数の回路又は配線を相互接続するために対になった相互係合するピン端子及びソケット端子を使用する。ピン端子及びソケット端子は、しばしば雄型端子と雌型端子と呼ばれる。
【０００３】
　あるタイプの雌型端子は、ほぼ長方形のピン又は雄型端子を収容するためにその嵌合端にほぼ長方形のソケット又は差込口を有する。
嵌合端は、上壁と下壁及び離間した対向する側壁を画定し、それにより、雄型端子を収容する通路を画定する細長い本体によって構成されている
上壁及び下壁は、開いた継目又はスリットを有し、それにより、対向する壁は、雄型端子が挿入されると端子の長手方向の軸に対して横方向に撓（たわ）んで通路を広げる
【０００４】
　多くのアプリケーションでは、端子に電力がある状態でこれらのタイプの端子を備えたコネクタを差込む、すなわち、嵌合させることが必要とされる。そのようなコネクタは、ホットプラグコネクタとして知られている。そのような
ホットプラグコネクタでは、端子を嵌（はめ）る際、及び、特に、外す際に、端子が抜差しされるときに端子を流れる電流によって電気アークが生じる
【０００５】
　従来技術におけるアーク放電を防ぐいくつかの試みには、個別の順次係合端子を設けることや、端子を順次的に係合させるために端子に前方又は横方向の拡張部分を設けることがある。そのような端子は、アーク発生のマイナス効果を減少させるのに有効であるが、そのような前方又は横方向の拡張部分によって必要とされる余分な空間のために必要以上に大きかった。また、場合によっては、そのような改良された端子は、製造がより複雑であった。
【０００６】
　本発明は、前述の問題を解決し、
アーク放電に対処する改良された細長い雌型電気端子
「【発明を実施するための最良の形態】
【００１９】
　図面をより詳しく参照して説明する。最初に、図１を参照すると、本発明は、全体を２０で示したほぼ細長い雌型電気端子において実施される。
該雌型端子は、全体を２２で示した嵌合部又は嵌合端と、全体を２４で示した終端接続部又は終端接続端と、全体を２６で示した中間固定部又は中間固定部分とを含む
【００２０】
　
雌型端子２０は、シートメタル材料から打抜き形成され、終端接続端２４は、全体を３３で示した電線に圧着されるように構成されている
【００２１】
　
雌型端子２０の中間部２６は、端子の両側から外方に突出する１対の打抜き形成されたロックアーム又はタブ４０を含む
【００２２】
　
図１を参照すると、雌型端子２０の嵌合端又は嵌合部２２は、後で図６〜９を参照してより詳細に示すように、雄型端子又は雄型ピン５０を収容するように適応された端子収容通路４４を有する
【００２３】
　本実施形態では、
雌型端子の嵌合端２２は１対のチャネル４５及び４６から成り、該チャネル４５及び４６は、ほぼＵ字形断面であり、また、Ｕ字形チャネルの脚部の端は互いに隣接しているが離間されるように、開いた継目又はスリット４７及び４８によって分離されている
チャネル４５〜４６は、雄型端子５０を収容するために、ほぼ長方形又は正方形の通路４４を間に画定する
「【００２８】
　嵌合ピン５０と雌型端子２０との間で係合し主電気接点を提供するために、通路４４内に拡大主接点５７及び５８が提供される。
これらの拡大接点５７〜５８は、例えば、当該技術分野で既知の金属打抜き形成技術によって、各側壁５３〜５４に形成することができる
「【００４１】
　図１１〜１３は、本発明の第３の実施形態を示し、本実施形態においては、全体を９０で示した雌型端子は、全体を９２で示した嵌合端の一部分が、図２〜４における雌型端子７０の中間部２６と幾分似た構成を有する。
拡大主接点８７〜８８の近くの雌型端子９０の嵌合端９２は、湾曲部８５によって一体的に接続された１対のほぼ平行に離間した側壁８３及び８４を有する
この第３の実施形態のアーク放電接点は側壁に設けられていないことである。この第３の実施形態では、側壁から曲げられた第１対の脚部の各脚部は、通路４４内に延在するアーク放電接点９４を有する。また、通路４４側の重なり合った脚部は、アーク放電接点９４とほぼ対向して通路４４内に延在する、片持ちビームの形の１つのアーク放電接点９５を有する
【００４２】
　図２〜４の雌型端子７０と同様に
雌型端子９０の傾斜接点８７〜８８は、側壁に対して横方向に傾けられている
雄型ピン５０が端子９０の通路４４に挿入されると、側壁８３〜８４は湾曲部８５を中心として撓んで互いに離れる。側壁８３及び８４が回転して離れると、あらかじめ傾斜した主接点８７及び８８は、雄型ピンの平坦へ側面と実質的に共面になり、該側面との電気接触を改善する
片持ちされたアーク放電ビーム９５は、側壁８３〜８４が回転して離れるので、通路４４にピンを最初に挿入し、さらに、挿入した後で雄型ピン５０をアーク放電接点９４と強制的に係合させる
犠牲アーク放電接点９４、９５は、ピン５０の２つの側面と係合し、主接点８７、８８は、ピン５０の他の２つの側面と係合する
雄型ピンの２つの側面と係合する犠牲アーク放電接点９４、９５によって作成された非導電性残留物は、他の２つの側面と係合する主接点８７、８８と接触せず
「【図１１】
」
「【図１２】
」
「【図１３】
」
２　引用文献１に記載の技術的事項
　上記１の記載より、引用文献１には、次の技術的事項が記載されているといえる。
・雌型端子２０は、シートメタル材料から打抜き形成されており、雌型端子９０も同様である（段落【００２０】及び【００４１】）。
・雌型端子２０は、雄型ピン５０を収容する嵌合端２０と、電線３３に圧着される終端接続端２４と、嵌合端２０と終端接続端２４との間に位置する中間固定部２６とを含むものであって、同様に雌型端子９０も嵌合端９２、終端接続端及び中間固定部を有する（段落【００１９】ないし【００２２】及び【００４１】）。
・雌型端子の嵌合端２２は、雄型ピン５０を収容するほぼ長方形又は正方形の通路４４を画定するものであり、嵌合端９２も同様である（段落【００２３】及び【００４１】）。
・雌型端子９０の嵌合端９２は、通路４４に沿って前後方向に延在する１対の側壁８３及び８４を有し、該側壁８３及び８４の縁は直角に曲げられることで２対の脚部を構成する（段落【００４１】及び【図１２】）。
・互いに対向する１対の側壁８３及び８４には、それぞれ主接点８７及び８８が設けられている（段落【００４１】及び【図１２】）。
・側壁８３及び８４の２対の脚部のうち、第１対の脚部は、通路４４内に延在するアーク放電接点９４を有し、第２対の脚部は、アーク放電接点９４とほぼ対向して通路４４内に延在するアーク放電接点９５を有する（段落【００４１】及び【図１３】）。
・雌型端子９０は、アーク放電接点９５が片持ちビームの形である（段落【００４１】及び【００４２】）。
・雌型端子２０の主接点５７及び５８は、金属打抜き形成技術によって側壁５３に端子内部の通路４４に向けて凸形状となるように形成され、少なくとも雄型ピン５０挿入方向の両側で、主接点５７及び５８は側壁５３に接続されて形成されており、雌型端子９０の主接点８７及び８８についても同様である（段落【００２８】、【００４２】、【図６】及び【図１１】）。
・雌型端子９０の傾斜した主接点８７及び８８は、側壁に対して横方向に傾けられ、雄型ピン５０が端子９０の通路４４に挿入されることで、側壁８３及び８４が湾曲部８５を中心として回転して互いに離れ、傾斜した主接点８７及び８８は、雄型ピンの側面と実質的に共面となり、該側面との電気接触を改善する（段落【００４２】及び【図１２】）。
・【図１３】より、雌型端子９０のアーク放電接点９４及び９５は、主接点８７及び８８よりも雄型ピン５０挿入方向の手前に位置していることが看取される。
・【図１１】より、中間固定部の側壁８３及び８４に形成された１対のロックアームは、側壁８３及び８４から外側に突出するように後方に延在する片持ち梁形状に形成されていることが看取される。
３　引用文献１に記載の発明
　上記２の引用文献１に記載の技術的事項より、引用文献１には、次の発明（以下、「引用発明」という。）が記載されているといえる。
［引用発明］
「シートメタル材料から打抜き形成された雌型端子９０であって、
　雄型ピン５０を収容する嵌合端９２と、電線に圧着される終端接続端と、嵌合端２０と終端接続端との間の中間固定部とを含み、
　前記嵌合端９２に画定される通路４４と、該通路４４に沿って前後方向に延在し、互いに対向する１対の側壁８３及び８４を有し、該側壁８３及び８４の縁は直角に曲げられることで２対の脚部を構成し、
　前記側壁８３及び８４には、それぞれ主接点８７及び８８が設けられ、主接点８７及び８８は、少なくとも雄型ピン５０挿入方向の両側で、側壁８３及び８４に接続されて設けられており、
　前記側壁８３及び８４の２対の脚部のうち、第１対の脚部は、通路４４内に延在するアーク放電接点９４を有し、第２対の脚部は、アーク放電接点９４とほぼ対向して通路４４内に延在するアーク放電接点９５を有し、
　前記アーク放電接点９４及び９５は、主接点８７及び８８よりも雄型ピン５０挿入方向の手前に位置しており、
　中間固定部の側壁８３及び８４に形成された１対のロックアームは、側壁８３及び８４から外側に突出するように後方に延在する片持ち梁形状に形成されている、
　雌型端子９０。」
４　引用文献２に記載の事項
　原査定の拒絶の理由に引用された引用文献２には、次の事項が記載されている。
「【００１９】図１は、本発明の一実施例としての雌型の活線挿抜用端子と、この活線挿抜用端子と組み合う相手端子とを対峙させて示す概略斜視図である。図１によく示されるように、
この活線挿抜用端子１０は、例えば、導電性があり且つバネ性のある金属シート材料から打ち抜き折り曲げ加工によって形成されている
【００２０】活線挿抜用端子１０は、後端部にＵ字状の結線部１１および１２を有している。結線部１１は、電源または電気機器との電気接続ケーブルの接続端末処理した被覆部に圧着接続するためのものであり、結線部１２は、その電気接続ケーブルの接続端末処理した心線に圧着接続するためのものである。また、
活線挿抜用端子１０は、中間部にチャンネル状部１３を有しており、このチャンネル状部の底部の中心部から前方且つ上方に延びるようにして弾性舌片１４が切り起こし形成されている
活線挿抜用端子１０は、前端部に箱状部１５を有しており、この箱状部１５の前端上下中心部に突出させてアーク用接点部１６が設けられている
弾性舌片１４の自由端には、通常接点部が設けられており
「【００２４】先ず、弾性舌片１４の詳細構造について説明するに、図３および図４に最もよく示されているように、この実施例では、
弾性舌片１４は、端子基材底部の中心部から切り起こし形成されており、中心部にそって溝１４Ｂが形成されていて、２つのバネ性部分１４Ｃおよび１４Ｄに分離されている
弾性舌片１４の自由端は、若干下方へと曲げられて、その湾曲部の頂部に通常接点部１４Ａを与えている
【００２５】次に、アーク用接点１６の詳細構造について説明するに、図３の縦断面図によく示されるように、この実施例では、
アーク用接点部１６は、箱状部１５の前端の上下辺の中心部から前方へ突き出すようにシート材料片を折り曲げ加工することにより形成されている
「【図３】
」
５　引用文献２に記載の技術的事項
　上記４の記載より、引用文献２には、次の技術的事項が記載されているといえる。
・活線挿抜用端子１０は、導電性があり且つバネ性のある金属シート材料から打ち抜き折り曲げ加工によって形成されている（段落【００１９】）。
・活線挿抜用端子１０は、チャンネル状部１３の底部の中心部から前方且つ上方に延びるようにして弾性舌片１４が切り起こし形成されており、該弾性舌片１４の基底部分から通常接点部１４Ａまでは、箱状部１５の内方に向いて延在し、前記通常接点部１４Ａから前記弾性舌片１４の自由端までは、箱状部１５の外方に向いて延在している（段落【００２０】、【００２４】及び【図３】）。
・活線挿抜用端子１０は、前端部に箱状部１５を有しており、該箱状部１５の前端上下中心部に突出させてアーク用接点部１６が設けられ、端子基材底部の中心部から切り起こし形成された弾性舌片１４の全体が、アーク用接点部１６よりも後方に位置している（段落【００２０】、【００２４】及び【図３】）。
６　引用文献３に記載の事項
　原査定の拒絶の理由に引用された引用文献３には、次の事項が記載されている。
「【００１９】
　
メス端子４のボックス部４１の上面には、ランスホール４４と、係止爪４５を備えている
「【００２２】
　
さらにメス端子４を挿入すると、係止爪４５は収容部３３に収容され、係止突起３２はランスホール４４に収容され、ランス３の変形は回復する。これによりメスコネクタハウジング１へのメス端子４の挿入は完了する。挿入完了後は、係止爪４５が第２の係止面３３ａに当接し、ランスホール４４の前方側の側面４４ｂが第１の係止面３２ａに当接する。これによって、メス端子４をメスコネクタハウジング１の後方に引張っても、メス端子４が抜けることが防止される
「【図４】
」
７　引用文献３に記載の技術的事項
　上記６の記載より、引用文献３には、次の技術的事項が記載されているといえる。
・メス端子４のボックス部４１は、上面から突出するように係止爪４５を備え、メスコネクタハウジング１へのメス端子４の挿入完了後は、係止爪４５がランス３の第２の係止面３３ａに当接することで、メス端子４が抜けることが防止される（段落【００１９】、【００２２】及び【図４】）。
第５　対比・判断
１　本願発明１について
（１）対比
　本願発明１と引用発明とを対比する。
　引用発明の「シートメタル材料」は、本願発明１の「金属薄板材料」に相当し、同様に、引用発明の「打抜き形成」すること及び「雌型端子９０」は、それぞれ本願発明１の「形成」すること及び「雌型端子」に相当する。したがって、引用発明の「シートメタル材料から打抜き形成された雌型端子９０」は、本願発明１の「金属薄板材料から形成された雌型端子」に相当する。
　引用発明の「雄型ピン５０」は、本願発明１の「雄型端子」に相当する。同様に、引用発明の「収容する」こと及び「嵌合端９２」は、それぞれ本願発明１の「受容する」こと及び「嵌合端部」に相当する。したがって、引用発明の「雄型ピン５０を収容する嵌合端９２」は、本願発明１の「雄型端子を受容する嵌合端部」に相当する。
　引用発明の「電線」は、本願発明１の「電線」に相当する。同様に、引用発明の「圧着される」こと及び「終端接続端」は、それぞれ本願発明１の「接続される」こと及び「回路接続端部」に相当する。したがって、引用発明の「電線に圧着される終端接続端」は、本願発明１の「電線に接続される回路接続端部」に相当する。
　引用発明の「嵌合端２０と終端接続端との間」は、本願発明１の「前記嵌合端部と回路接続端部との間」に相当し、引用発明の「中間固定部」は、本願発明１の「中間部分」に相当する。したがって、引用発明の「嵌合端２０と終端接続端との間の中間固定部」は、本願発明１の「前記嵌合端部と回路接続端部との間の中間部分」に相当する。
　引用発明の「雌型端子９０」が、「嵌合端９２」と、「終端接続端」と、「中間接続部」とを含むことは、本願発明１の「端子本体」が、「嵌合端部」と、「回路接続端部」と、「中間部分」とを伴うことに相当する。
　引用発明の「前記嵌合端９２に画定される」ことは、本願発明１の「前記嵌合端部に画定される」ことに相当する。また、引用発明の「通路４４」は、本願発明１の「通路」に相当する。したがって、引用発明の「前記嵌合端９２に画定される通路４４」は、本願発明１の「前記嵌合端部に画定される通路」に相当する。
　引用発明の「前後方向」は、本願発明１の「長手方向」に相当する。引用発明の「該通路４４に沿って前後方向に延在」することは、本願発明１の「該通路に沿って長手方向に延在」することに相当する。引用発明の「互いに対向する」ことは、本願発明１の「互いに対向する」ことに相当する。引用発明の「１対の側壁８３及び８４」は、本願発明１の「２つの側壁」に相当する。
　引用発明の「該側壁８３及び８４の縁は直角に曲げられることで２対の脚部を構成」することは、側壁８３と８４のそれぞれの１対の脚部が、互いに対向する上壁と下壁を形成するといえるから、本願発明１の「互いに対向する上壁及び下壁とを含む」ことに相当する。また、引用発明の「１対の側壁８３及び８４」が「該通路４４に沿って前後方向に延在」するから、引用発明の「２対の脚部」も同様に「該通路４４に沿って前後方向に延在」するといえる。
　そうすると、引用発明の「該通路４４に沿って前後方向に延在し、互いに対向する１対の側壁８３及び８４を有し、該側壁８３及び８４の縁は直角に曲げられることで２対の脚部を構成」する「通路４４」は、本願発明１の「該通路に沿って長手方向に延在し、互いに対向する２つの側壁と、前記通路に沿って長手方向に延在し、互いに対向する上壁及び下壁とを含む」、「通路」に相当する。
　引用発明の「主接点８７及び８８」は、「前記側壁８３及び８４」に「設けられ」るものであるから、本願発明１の「前記側壁の各々に沿って配置される」「主接点」に相当する。引用発明の「前記側壁８３及び８４の２対の脚部」は、本願発明１の「上壁及び下壁の少なくとも１つ」に相当する。また、引用発明の「通路４４内に延在する」ことは、本願発明１の「前記通路の内方に向いて延在」することに相当する。引用発明の「アーク放電接点９４」及び「アーク放電接点９５」は、いずれも本願発明１の「アーク放電接点」に相当する。
　引用発明の「中間固定部の側壁８３及び８４に形成され」ることは、本願発明１の「前記中間部分に配置される」ことに相当する。引用発明の「１対のロックアーム」は、本願発明１の「１対のロックアーム」に相当する。引用発明の「側壁８３及び８４から外側に突出するように後方に延在する片持ち梁形状に形成されている」ことは、本願発明１の「前記側壁の各々と平行な各側面から外側へ突出するように後方に延在する片持ち梁の形状」であることに相当する。したがって、引用発明の「中間固定部の側壁８３及び８４に形成された１対のロックアームは、側壁８３及び８４から外側に突出するように後方に延在する片持ち梁形状に形成されている」ことは、本願発明１の「前記中間部分に配置される１対のロックアームであって、前記側壁の各々と平行な各側面から外側へ突出するように後方に延在する片持ち梁の形状のロックアーム」に相当する。
　以上のとおりであるから、本願発明１と引用発明との一致点及び相違点は次のとおりとなる。
［一致点］
「金属薄板材料から形成された雌型端子であって、
　雄型端子を受容する嵌合端部と、電線に接続される回路接続端部と、前記嵌合端部と回路接続端部との間の中間部分とを伴う端子本体と、
　前記嵌合端部に画定される通路であって、該通路に沿って長手方向に延在し、互いに対向する２つの側壁と、前記通路に沿って長手方向に延在し、互いに対向する上壁及び下壁とを含む、通路と、
　前記側壁の各々に沿って配置される主接点と、
　前記上壁及び下壁の少なくとも１つに沿って配置されるアーク放電接点であって、前記通路の内方に向いて延在する、アーク放電接点と、
　前記中間部分に配置される１対のロックアームであって、前記側壁の各々と平行な各側面から外側へ突出するように後方に延在する片持ち梁の形状のロックアームと、
　を備える、雌型端子。」
［相違点］
　本願発明１の主接点は、「基底部分、接点領域、及び、自由端を含み、前記側壁の各々から前方に延在する片持ち梁の形状で、前記基底部分から接点領域までは前記通路の内方に向いて延在し、前記接点領域から自由端までは前記通路の外方に向いて延在する」構成であって、本願発明１のアーク放電接点は、「前記通路の長手方向に関して、前記主接点の接点領域と自由端との間に位置する」構成であるのに対し、引用発明の主接点８７及び８８は、少なくとも雄型ピン５０挿入方向の両側で、側壁８３及び８４に接続されて設けられているものであり、アーク放電接点９４及び９５は主接点８７及び８８よりも雄型ピン５０挿入方向の手前に位置している点。
（２）判断
　上記相違点について検討する。
　引用発明の主接点８７及び８８は、少なくとも雄型ピン５０挿入方向の両側で、側壁８３及び８４に接続されて設けられているものであるから、いわゆる両持ち形状であって、片持ち梁の形状ではない。
　また、引用文献１には、上記第４の２のとおり、「雌型端子９０の傾斜した主接点８７及び８８は、側壁に対して横方向に傾けられ、雄型ピン５０が端子９０の通路４４に挿入されることで、側壁８３及び８４が湾曲部８５を中心として回転して互いに離れ、傾斜した主接点８７及び８８は、雄型ピンの側面と実質的に共面となり、該側面との電気接触を改善する」という技術的事項（以下、「引用文献１記載の技術的事項１」という。）が記載されている。
　ここで、引用文献２には、上記第４の５のとおり、「活線挿抜用端子１０は、チャンネル状部１３の底部の中心部から前方且つ上方に延びるようにして弾性舌片１４が切り起こし形成されており、該弾性舌片１４の基底部分から通常接点部１４Ａまでは、箱状部１５の内方に向いて延在し、前記通常接点部１４Ａから前記弾性舌片１４の自由端までは、箱状部１５の外方に向いて延在している」という技術的事項（以下、「引用文献２記載の技術的事項１」という。）が記載されている。
　そうすると、引用文献１記載の技術的事項１を考慮すると、引用発明の主接点８７及び８８を片持ち梁の形状とした場合、「側壁８３及び８４が湾曲部８５を中心として回転して互いに離れ」る作用が、片持ち梁の形状とした主接点８７及び８８の撓みとなってしまうことで減殺されるから、引用発明は、主接点８７及び８８を片持ち梁の形状とすることに、阻害要因を有しているといえる。
　したがって、引用発明において、引用文献２記載の技術的事項１における弾性舌片１４の片持ち梁の形状のものを適用することは、当業者にとって容易に想到し得たことということはできない。
　以下、仮に引用発明において、主接点８７及び８８を片持ち梁の形状とすることは当業者が容易に想到し得たことであるとして検討する。
　引用文献２には、上記第４の５のとおり、「活線挿抜用端子１０は、前端部に箱状部１５を有しており、該箱状部１５の前端上下中心部に突出させてアーク用接点部１６が設けられ、端子基材底部の中心部から切り起こし形成された弾性舌片１４の全体が、アーク用接点部１６よりも後方に位置している」こと（以下、「引用文献２記載の技術的事項２」）が記載されている。
　引用発明及び引用文献２記載の技術的事項２は、いずれも主接点あるいは通常接点よりも、アーク放電接点を相手方部材である雄型端子の方向に離れて形成するものである。そして、引用文献１又は引用文献２には、アーク放電接点を「前記通路の長手方向に関して、前記主接点の接点領域と自由端との間に位置する」ことに関して記載も示唆もされていない。
　このため、引用発明において、引用文献２記載の技術的事項２を適用しても、相違点に係る構成とすることは、当業者が容易に想到し得たことということはできない。
　ここで、引用発明において、「弾性舌片１４の全体が、アーク用接点部１６よりも後方に位置している」との引用文献２記載の技術的事項２を適用しても、アーク放電接点９４及び９５は、主接点８７及び８８の接点領域と自由端との間に位置する構成とならないから、更にこれらの位置関係を変更しなければならない。そうすると、このような論理付けは、いわゆる「容易の容易」にあたるものであるから、これを当業者が容易に想到し得たことということはできない。
　なお、引用文献３には、上記第４の７のとおり、メス端子４の抜け防止のために係止爪４５を備えることが記載されているものの、上記相違点に係る事項が記載されているものではない。
　したがって、本願発明１は、当業者であっても、引用発明、引用文献１記載の技術的事項１、ならびに、引用文献２記載の技術的事項１及び２に基いて容易に発明をすることができたものとはいえない。
２　本願発明２ないし４について
　本願発明２ないし４は、いずれも本願発明１の発明特定事項を全て含むものであり、上記相違点１及び２に係る本願発明１の構成を備えるものであるから、本願発明１と同様の理由により、当業者であっても、引用発明、引用文献１記載の技術的事項１及び２、ならびに、引用文献２記載の技術的事項１及び２に基いて容易に発明をすることができたものとはいえない。
第６　むすび
　以上のとおり、本願発明１ないし４は、当業者が引用文献１に記載された発明、引用文献１記載の技術的事項１及び２、ならびに、引用文献２記載の技術的事項１及び２に基いて容易に発明をすることができたものではない。したがって、原査定の理由によっては、本願を拒絶することはできない。
　また、他に本願を拒絶すべき理由を発見しない。
　よって、結論のとおり審決する。